(57)【特許請求の範囲】
【請求項１】
圧縮機、ガスクーラ、減圧装置、蒸発器が冷媒配管を介して順に接続された冷凍サイクルを備え、循環ポンプにより貯湯タンク内の水を前記ガスクーラに循環させて加熱する構成のヒートポンプ給湯機において、
前記ガスクーラの水側入口に設けられた温度センサと、
前記ガスクーラと前記減圧装置との間に設けられた開閉弁と、
前記開閉弁に対して並列に設けられた熱交換器とを備え、
前記温度センサで検知したガスクーラの入口側の水温が所定温度よりも上がった場合に、前記開閉弁を閉じ、前記ガスクーラからの冷媒を、前記熱交換器、減圧装置、蒸発器、圧縮機の順に流す構成としたことを特徴とするヒートポンプ給湯機。
【請求項２】
前記熱交換器と前記蒸発器とを一体化したことを特徴とする請求項１記載のヒートポンプ給湯機。
【請求項３】
前記熱交換器と前記蒸発器とを別体化したことを特徴とする請求項１記載のヒートポンプ給湯機。
【請求項４】
前記熱交換器を水冷もしくは空冷式としたことを特徴とする請求項１乃至３のいずれか一項記載の記載のヒートポンプ給湯機。
【発明の詳細な説明】
【０００１】
【発明の属する技術分野】
本発明は、冷凍サイクルを構成するガスクーラで水を加熱して温水を供給するヒートポンプ給湯機に関する。
【０００２】
【従来の技術】
一般に、圧縮機、ガスクーラ、減圧装置、蒸発器を順に接続した冷凍サイクルを備え、前記ガスクーラで水を加熱して温水を供給するヒートポンプ給湯機が知られている。この種のものでは、効率よくお湯を供給できるが、ガスクーラに供給される水の温度が所定温度以上に達した場合、冷凍サイクル側の成績係数（ＣＯＰ）が大きく低下するという問題がある。
【０００３】
【発明が解決しようとする課題】
これを解消するため、従来では、ガスクーラに供給される水の温度が所定温度以上に達した場合、一時的に給湯運転を停止しているが、これでは、給湯要求に十分に応えることができないという問題がある。
【０００４】
そこで、本発明の目的は、上述した従来の技術が有する課題を解消し、ガスクーラに供給される水の温度が所定温度以上に達した場合であっても、給湯運転を継続させることができる、ヒートポンプ給湯機を提供することにある。
【０００５】
【課題を解決するための手段】
請求項１記載の発明は、圧縮機、ガスクーラ、減圧装置、蒸発器が冷媒配管を介して順に接続された冷凍サイクルを備え、循環ポンプにより貯湯タンク内の水を前記ガスクーラに循環させて加熱する構成のヒートポンプ給湯機において、前記ガスクーラの水側入口に設けられた温度センサと、前記ガスクーラと前記減圧装置との間に設けられた開閉弁と、前記開閉弁に対して並列に設けられた熱交換器とを備え、前記温度センサで検知したガスクーラの入口側の水温が所定温度よりも上がった場合に、前記開閉弁を閉じ、前記ガスクーラからの冷媒を、前記熱交換器、減圧装置、蒸発器、圧縮機の順に流す構成としたことを特徴とする。
【０００７】
請求項２記載の発明は、請求項１記載のものにおいて、前記熱交換器と前記蒸発器とを一体化したことを特徴とする。
【０００８】
請求項３記載の発明は、請求項１記載のものにおいて、前記熱交換器と前記蒸発器とを別体化したことを特徴とする。
【０００９】
請求項４記載の発明は、請求項１乃至３のいずれか一項記載のものにおいて、前記熱交換器を水冷もしくは空冷式としたことを特徴とする。
【００１２】
【発明の実施の形態】
以下、本発明の一実施形態を、図面に基づいて説明する。
【００１３】
図１は、ヒートポンプ給湯機を示す。１は圧縮機を示し、この圧縮機１には、冷媒配管を介して、ガスクーラ（高圧側熱交換器）３、開閉弁２３、減圧装置（膨張弁）５、及び蒸発器（低圧側熱交換器）７が順に接続されて、冷凍サイクルが構成されている。１１はアキュームレータである。
【００１４】
この冷凍サイクルにはＣＯ2冷媒が使用される。ＣＯ2冷媒はオゾン破壊係数が０で、地球温暖化係数が１であるため、環境への負荷が小さく、毒性、可燃性がなく安全で安価である。このＣＯ2冷媒を使用した場合、冷凍サイクルの高圧側が超臨界となる遷臨界サイクル（Transcritical Cycle）になるため、ヒートポンプ式給湯装置における給湯のように、水の昇温幅が大きい加熱プロセスでは高い成績係数（ＣＯＰ）を期待することができる。
【００１５】
しかし、その反面、冷媒を高圧に圧縮しなければならず、圧縮機１には、内部中間圧二段圧縮型の圧縮機が採用されている。
【００１６】
この圧縮機１は、図示は省略したが、シェルケースの内部に電動機部と、この電動機部により駆動される圧縮部とを有している。この圧縮部は二段圧縮の構成を有し、一段目の圧縮部と、二段目の圧縮部とからなる。一段目の圧縮部の吸込みポートＡから吸い込まれた冷媒は、この圧縮部で中間圧Ｐ１に圧縮された後、一旦、吐出ポートからシェルケース内に吐出され、このシェルケース内を経た後、二段目の圧縮部の吸込みポートに導かれ、この二段目の圧縮部で高圧Ｐ２に圧縮されて吐出ポートＢから吐出される。
【００１７】
上記ガスクーラ３は、ＣＯ2冷媒が流れる冷媒コイル９と、水が流れる水コイル１０とからなり、この水コイル１０は水配管を介して貯湯タンク１５に接続されている。水配管には循環ポンプ１７が接続され、この循環ポンプ１７が駆動されて、貯湯タンク１５の水がガスクーラ３を循環し、ここで加熱されて貯湯タンク１５に貯湯される。
【００１８】
この冷凍サイクルには、蒸発器７の除霜回路が設けられている。この除霜回路は、圧縮機１の中間ポートＣからの中間圧Ｐ１の冷媒を蒸発器７に導く、除霜用電磁弁３５及びバイパス管３６を有した除霜回路３７を備えて構成される。この除霜運転では、除霜用電磁弁３５が開かれると共に、膨張弁５がほぼ全開にされる。これによって、圧縮機１からの中間圧冷媒が、バイパス管３６を介して蒸発器７に送られて除霜される。
【００１９】
本実施形態では、ガスクーラ３と膨張弁５との間に設けられた開閉弁２３に対し並列に冷媒熱交換器２１が設けられ、ガスクーラ３の水側入口には温度センサ２５が設けられ、この温度センサ２５の検知値が所定温度よりも上がった場合、開閉弁２３を閉じる制御器２７が設けられる。この冷媒熱交換器２１は蒸発器７と一体的に形成されている。
【００２０】
この種のものでは、ガスクーラ３によって水を加熱する場合、貯湯タンク１５から供給される水の水温、すなわち、ガスクーラ３の入口側の水温が高いと、ヒートポンプ側の冷凍サイクルのＣＯＰが極端に低下する。水から冷媒に高温の熱が与えられるためである。
【００２１】
上記構成では、これを解消するため、温度センサ２５の検知値が所定温度よりも上がった場合、開閉弁２３が閉じられる。すると、ガスクーラ３を出た冷媒が、開閉弁２３をバイパスし、これと並列に設けられた冷媒熱交換器２１に流入し、ここで冷媒の温度が下げられ、この温度低下後の冷媒が膨張弁５に導かれ、ここで減圧された後、蒸発器７に流入する（図１の破線矢印参照）。なお、通常運転時（温度センサ２５の検知値が所定温度以下の場合）は、開放されている開閉弁２３を介して、ガスクーラ３からの冷媒が蒸発器７へ流入する（図１の実線矢印参照）。このガスクーラ３からの冷媒の一部は冷媒熱交換器２１に流入するものの、この冷媒熱交換器２１の配管抵抗値は、開閉弁２３の配管抵抗値よりも大きく形成されているからである。
【００２２】
本実施形態では、ガスクーラ３の入口側の水温が高い場合であっても、ヒートポンプ側の冷凍サイクルのＣＯＰを低下させることなく、給湯運転を継続させることができる。また、冷媒熱交換器２１を蒸発器７と一体化して空冷式としたため、蒸発器７の送風機を共用化することができ、コストダウンが図れると共に、コンパクトな設計が可能になる。
【００２６】
以上、一実施形態に基づいて本発明を説明したが、本発明はこれに限定されるものでないことは明らかである。
【００２７】
例えば、上記構成では、冷媒熱交換器２１を蒸発器７と一体形成したが、これに限定されるものではなく、別体のものとして形成し、これらを離間させて配置してもよいことは云うまでもない。
【００２８】
【発明の効果】
本発明では、ガスクーラの入口側の水温が高い場合であっても、給湯運転を継続させることができる。
【図面の簡単な説明】
【図１】本発明によるヒートポンプ給湯機の一実施形態を示す回路図である。
【符号の説明】
１  圧縮機
３  ガスクーラ
５  減圧装置
７  蒸発器
２１  冷媒熱交換器
２３  開閉弁
２５  温度センサ
２７  制御器
【図１】
0003815611.tif 000002